(57)【要約】  本開示は、HDMI-CEC対応機器の待機電力の消費を低減することができるようにする情報処理装置、および情報処理方法に関する。HDMI-CEC対応機器であって、HDMIリピータであるAVアンプは、HDMIケーブルにより接続されていることを前提とするHDMIシンクであって、HDMI-CEC対応機器であるテレビジョン受像機に対して、所定の時間間隔でポーリング信号を送信し、ACKが返信されてくる限り、HDMIケーブルにより接続されているものとみなす。そして、HDMIケーブルが抜去されたあと、AVアンプには、ACKが返信されてこなくなるので、これによりHDMIケーブルが抜去されたものとみなし、AVアンプのCPUの動作を停止させることで省電力化を図る。本開示は、HDMI-CEC対応機器に適用することができる。
2017188019.tif 000002
【特許請求の範囲】
【請求項１】
所定信号を送受信する信号チャンネルと、制御に利用される制御信号を双方向に送信する制御チャンネルとを有するインタフェースを介して、他の装置と接続される情報処理装置において、
前記情報処理装置における動作の全体を制御する主制御部と、
前記他の装置に第１の制御信号を送信し、前記第１の制御信号に応じて、前記他の装置から送信されてくる第２の制御信号に基づいて、前記インタフェースの接続状態を判定し、前記接続状態の判定結果により、前記主制御部の動作を制御する信号管理部を備える
情報処理装置。
【請求項２】
前記主制御部の動作は、前記主制御部への通電状態および動作クロックである
請求項１に記載の情報処理装置。
【請求項３】
前記インタフェースは、HDMI（High Definition Multimedia Interface）であり、
前記制御信号、前記第１の制御信号、および前記第２の制御信号は、CEC（Consumer Electronics Control）メッセージである
請求項１に記載の情報処理装置。
【請求項４】
前記所定信号の送受信を制御する送受信制御部をさらに含み、
前記信号管理部は、前記送受信制御部への通電状態を停止するときに、第１の時間間隔で、前記他の装置に対して、前記第１の制御信号を送信し、前記第１の制御信号に応じて、前記他の装置から送信されてくる前記第２の制御信号に基づいて、前記インタフェースの接続状態として、HDMIケーブルの挿抜状態を判定する
請求項３に記載の情報処理装置。
【請求項５】
前記信号管理部は、前記第１の時間間隔で、前記他の装置に対して、前記第１の制御信号としてポーリング信号を送信し、前記ポーリング信号に対応して送信されてくる前記第２の制御信号である応答信号の有無により前記HDMIケーブルの挿抜状態を判定する
請求項４に記載の情報処理装置。
【請求項６】
前記信号管理部は、前記他の装置から、前記第１の時間間隔よりも短い第２の時間間隔で送信されてくる第３の制御信号であるポーリング信号が送信されてくるとき、対応する第４の制御信号である応答信号を前記他の装置に送信すると共に、前記第１の制御信号であるポーリング信号を送信する時間間隔をリセットする
請求項４に記載の情報処理装置。
【請求項７】
前記信号管理部は、前記第１の制御信号に応じた、前記他の装置からの前記第２の制御信号が送信されてこない場合、前記インタフェースの接続状態である、前記HDMIケーブルが抜去されているものと判定し、前記送受信制御部の動作を停止すると共に、前記主制御部の動作を停止する
請求項４に記載の情報処理装置。
【請求項８】
ユーザからの操作入力を受け付けて操作内容に応じた操作信号を発生する操作入力部をさらに含み、
前記信号管理部は、前記送受信制御部の動作を停止すると共に、前記主制御部の動作を停止している場合、前記操作入力部より操作信号が発生したとき、前記送受信制御部の動作を再開し、前記主制御部の動作を再開する
請求項７に記載の情報処理装置。
【請求項９】
前記信号管理部は、前記送受信制御部の動作を停止すると共に、前記主制御部の動作を停止している場合、前記他の装置より所定の制御信号が送信されてくるとき、前記送受信制御部の動作を再開させ、前記主制御部の動作を再開する
請求項７に記載の情報処理装置。
【請求項１０】
前記信号管理部は、送信元である自らの論理アドレスと、送信先である前記他の装置の論理アドレスとを含む前記第１の制御信号を送信する
請求項１に記載の情報処理装置。
【請求項１１】
所定信号を送受信する信号チャンネルと、制御に利用される制御信号を双方向に送信する制御チャンネルとを有するインタフェースを介して、他の装置と接続される情報処理装置の情報処理方法において、
前記他の装置に第１の制御信号を送信し、前記第１の制御信号に応じて、前記他の装置から送信されてくる第２の制御信号に基づいて、前記インタフェースの接続状態を判定し、前記接続状態の判定結果により、前記情報処理装置における動作の全体を制御する主制御部の動作を制御する
情報処理方法。
【発明の詳細な説明】
【技術分野】
【０００１】
本開示は、情報処理装置、および情報処理方法に関し、特に、HDMI（登録商標）（High-Definition Multimedia Interface）-CEC（Consumer Electronics Control）対応機器の待機電力の消費を低減できるようにした情報処理装置、および情報処理方法に関する。
【背景技術】
【０００２】
昨今においては、薄型TV（Television：テレビジョン受像機）の音質を向上させるための、Sound BARやAV（Audio Visual）レシーバに代表されるAMP機器（Amplifier：増幅機器：以下、単に、アンプ機器とも称する）が多く市場に出ている。【０００３】
これらはTVとHDMI（High-Definition Multimedia Interface）-CEC（Consumer Electronics Control）接続され、TVリモコン（リモートコントローラ）で簡単にコントロールできるよう設計されることが多い。【０００４】
HDMI-CEC機器、とりわけAVレシーバやSound BARに代表されるAMP機器には、昨今USB（Universal Serial Bus） Playerやネットワークプレイヤなどの機能が搭載されている。【０００５】
従来、このようなAMP機器は、ワンチップマイコンでHDMIデバイス、DSP（Digital Signal Processor）、アンプ用IC（Integrated Circuit）を制御することで構成されてきたが、前述のような多機能を実現する際、DSPやHDMIデバイスを統合したSOC（System On a Chip）デバイスを用いることが多くなってきている。このSOCデバイスを用いるようにすることで、部品点数の削減や回路の簡素化が図られている。【０００６】
ところが、これらの機器では前述のHDMI-CEC機能が搭載されると、HDMI-CECには機器が電源オフ状態から電源オン状態に遷移する機能が存在するため、電源オフ中の通信が必須となる。【０００７】
この場合、使用するSOCがHDMI-CECの制御部と他の制御部を独立させて電源制御できる構成になっていないと、HDMI-CECを動作させる際にその電源を切ることができない。【０００８】
すなわち、見た目は電源オフ状態であっても実際は電源オンという状態をとることになってしまい、機器を使用していない状態における待機電力が下げられなくなってしまう。一方、昨今、地球環境保護のため、各電子機器の待機電力を削減する動きがあるのは周知の事実である。【０００９】
そこで、HDMI-CECは機器の電源連動を行う機能であるため、機器が待機状態であっても電力消費を低減させる技術が提案されている（特許文献１参照）。
【先行技術文献】
【特許文献】
【００１０】
【特許文献１】特開２０１０−１３００６８号公報
【発明の概要】
【発明が解決しようとする課題】
【００１１】
ところで、HDMI-CEC機能をSOCで実現する場合、CECが動作できる状態においては電力消費が下げられないことがある。【００１２】
すなわち、SOCに加えてワンチップマイコンを搭載し、その中でCECを実現する場合、その待機時にSOC自体の電源を切断し、比較的省電力のワンチップマイコン側でCEC機能を実現することができるため、前述のような待機電力が上がってしまうといった制約はなかった。【００１３】
ところが、ヨーロッパにはEUP（Energy Using Products）指令という法規制があり、AV機器の待機電力に制約があり、AV製品の待機電力を年々下げていくことが求められている。【００１４】
ただし、このHDMI-CECを実現する場合、通常の待機状態とは違いネットワークスタンバイという他機器との連携を行うための特別な待機状態としてみなされるため、前述のような制約は回避できるようになっている。【００１５】
すなわち、ネットワークスタンバイという他機器と連動しなければならない状態においては、待機電力を多目に見てもらえるということになる。【００１６】
しかしながら、このネットワークスタンバイは、HDMIの接続があって、他機器との連動ができる状態を指すものであるが、例えば、TV（Television：テレビジョン受像機）とAMP機器とがHDMI-CEC接続されたシステムであればよいものの、HDMI-CEC接続が抜けて、HDMI-CEC接続がなされていない状態になってしまった場合については、ネットワークスタンバイではないと判断される恐れがある。【００１７】
例えば、HDMI-CEC対応のAMP機器が待機状態のときに、HDMIケーブルが抜き取られた場合などがこの状態に対応する。【００１８】
このような状態を回避するために、SOCとは別にワンチップマイコンを搭載し、電源オフ時のHDMI-CEC動作をマイコン側で制御させることが考えられるが、この場合、ハードウェアのコストが増大してしまう上、ソフトウェア的な処理もSOCと通信させることになるため複雑になってしまう。【００１９】
本開示は、このような状況に鑑みてなされたものであり、特に、HDMI-CEC機器がその電源がオフ状態の場合であって、他機器とHDMI-CEC接続されていないときに、さらに省電力待機状態に移行することで、HDMI-CECがSOC内で実現されていてもコストを増やすことなく、省電力化を実現できるようにするものである。
【課題を解決するための手段】
【００２０】
本開示の一側面の情報処理装置は、所定信号を送受信する信号チャンネルと、制御に利用される制御信号を双方向に送信する制御チャンネルとを有するインタフェースを介して、他の装置と接続される情報処理装置において、前記情報処理装置における動作の全体を制御する主制御部と、前記他の装置に第１の制御信号を送信し、前記第１の制御信号に応じて、前記他の装置から送信されてくる第２の制御信号に基づいて、前記インタフェースの接続状態を判定し、前記接続状態の判定結果により、前記主制御部の動作を制御する信号管理部を備える情報処理装置である。【００２１】
前記主制御部の動作は、前記主制御部への通電状態および動作クロックとすることができる。【００２２】
前記インタフェースは、HDMI（HighDefinitionMultimediaInterface）であり、前記制御信号、前記第１の制御信号、および前記第２の制御信号は、CEC（ConsumerElectronicsControl）メッセージとすることができる。【００２３】
前記所定信号の送受信を制御する送受信制御部をさらに含ませるようにすることができ、前記信号管理部には、前記送受信制御部への通電状態を停止するときに、第１の時間間隔で、前記他の装置に対して、前記第１の制御信号を送信させ、前記第１の制御信号に応じて、前記他の装置から送信されてくる前記第２の制御信号に基づいて、前記インタフェースの接続状態として、HDMIケーブルの挿抜状態を判定させるようにすることができる。【００２４】
前記信号管理部には、前記第１の時間間隔で、前記他の装置に対して、前記第１の制御信号としてポーリング信号を送信し、前記ポーリング信号に対応して送信されてくる前記第２の制御信号である応答信号の有無により前記HDMIケーブルの挿抜状態を判定させるようにすることができる。【００２５】
前記信号管理部には、前記他の装置から、前記第１の時間間隔よりも短い第２の時間間隔で送信されてくる第３の制御信号であるポーリング信号が送信されてくるとき、対応する第４の制御信号である応答信号を前記他の装置に送信すると共に、前記第１の制御信号であるポーリング信号を送信する時間間隔をリセットさせるようにすることができる。【００２６】
前記信号管理部には、前記第１の制御信号に応じた、前記他の装置からの前記第２の制御信号が送信されてこない場合、前記インタフェースの接続状態である、前記HDMIケーブルが抜去されているものと判定させ、前記送受信制御部の動作を停止すると共に、前記主制御部の動作を停止させるようにすることができる。【００２７】
ユーザからの操作入力を受け付けて操作内容に応じた操作信号を発生する操作入力部をさらに含ませるようにすることができ、前記信号管理部には、前記送受信制御部の動作を停止すると共に、前記主制御部の動作を停止している場合、前記操作入力部より操作信号が発生したとき、前記送受信制御部の動作を再開し、前記主制御部の動作を再開させるようにすることができる。【００２８】
前記信号管理部には、前記送受信制御部の動作を停止すると共に、前記主制御部の動作を停止している場合、前記他の装置より所定の制御信号が送信されてくるとき、前記送受信制御部の動作を再開させ、前記主制御部の動作を再開させるようにすることができる。【００２９】
前記信号管理部には、送信元である自らの論理アドレスと、送信先である前記他の装置の論理アドレスとを含む前記第１の制御信号を送信させるようにすることができる。【００３０】
本開示の一側面の情報処理方法は、所定信号を送受信する信号チャンネルと、制御に利用される制御信号を双方向に送信する制御チャンネルとを有するインタフェースを介して、他の装置と接続される情報処理装置の情報処理方法において、前記他の装置に第１の制御信号を送信し、前記第１の制御信号に応じて、前記他の装置から送信されてくる第２の制御信号に基づいて、前記インタフェースの接続状態を判定し、前記接続状態の判定結果により、前記情報処理装置における動作の全体を制御する主制御部の動作を制御する情報処理方法である。【００３１】
本開示の一側面においては、所定信号を送受信する信号チャンネルと、制御に利用される制御信号を双方向に送信する制御チャンネルとを有するインタフェースを介して、他の装置と接続される情報処理装置における動作の全体を制御する主制御部の動作が、前記他の装置に送信される前記第１の制御信号に応じて、前記他の装置から送信されてくる第２の制御信号に基づいた、前記インタフェースの接続状態の判定結果により制御される。
【発明の効果】
【００３２】
本開示の一側面によれば、HDMIケーブルの挿抜状態に応じた省電力化を実現することが可能となる。
【図面の簡単な説明】
【００３３】
【図１】本開示を適用した第１の実施の形態としてのAVシステムの構成例を示すブロック図である。
【図２】論理アドレスを説明する図である。
【図３】テレビジョン受像機の構成例を示すブロック図である。
【図４】第１の実施の形態におけるAVアンプの構成例を示すブロック図である。
【図５】HDMI送信部（HDMIソース）とHDMI受信部（HDMIシンク）の構成例を示すブロック図である。
【図６】TMDS伝送データの構造を示す図である。
【図７】HDMI端子のピン配列（タイプＡ）を示す図である。
【図８】CECライン（CECチャネル）で伝送されるデータのブロック構成を示す図である。
【図９】ヘッダブロックのデータ構造例を示す図である。
【図１０】図４のAVアンプの動作状態の状態遷移を説明する図である。
【図１１】動作状態のそれぞれを説明する図である。
【図１２】省電力待機状態遷移処理を説明するフローチャートである。
【図１３】省電力待機状態遷移処理を説明する図である。
【図１４】省電力待機状態遷移処理を説明する図である。
【図１５】省電力待機状態遷移処理におけるHDMIケーブルの優位性を説明する図である。
【図１６】その他の省電力待機状態遷移処理を説明するフローチャートである。
【図１７】その他の省電力待機状態遷移処理を説明する図である。
【図１８】第２の実施の形態におけるAVアンプの構成例を示すブロック図である。
【図１９】図１８のAVアンプの動作状態の状態遷移を説明する図である。
【図２０】復帰処理を説明するフローチャートである。
【図２１】復帰処理を説明する図である。
【図２２】汎用のパーソナルコンピュータの構成例を説明する図である。
【発明を実施するための形態】
【００３４】
以下に添付図面を参照しながら、本開示の好適な実施の形態について詳細に説明する。なお、本明細書及び図面において、実質的に同一の機能構成を有する構成要素については、同一の符号を付することにより重複説明を省略する。
【００３５】
また、以下の順序で説明を行う。
１．第１の実施の形態
２．第１の実施の形態の変形例
３．第２の実施の形態
４．応用例
【００３６】
＜＜１．第１の実施の形態＞＞
＜AVシステムの構成例＞
図１は、本発明を適用した一実施の形態としてのAVシステムの構成例を示している。
【００３７】
図１のAVシステムは、テレビジョン受像機１１、およびAVアンプ１２から構成される。
【００３８】
テレビジョン受像機１１、およびAVアンプ１２はそれぞれ、HDMI-CEC対応機器（以下、単にCEC対応機器という）である。図１のAVシステムにおいては、テレビジョン受像機１１とAVアンプ１２とがHDMIケーブルで接続され、AVアンプ１２と、図示せぬBDレコーダ、DVDプレーヤ、および衛星チューナ等のそれぞれとがHDMIケーブルで接続されている。また、図１のAVシステムにおいては、テレビジョン受像機１１がHDMIシンクに、AVアンプ１２がHDMIリピータに、図示せぬBDレコーダ、DVDプレーヤ、および衛星チューナ等のそれぞれがHDMIソースに対応する。
【００３９】
さらに、テレビジョン受像機１１とAVアンプ１２とは、OPTICALケーブルでも接続されている。テレビジョン受像機１１は、OPTICALケーブルを介して、光デジタル音声信号をAVアンプ１２に供給する。
【００４０】
さらに、CEC対応機器には固有の物理アドレスが割り当てられる。図１のAVシステムにおいては、テレビジョン受像機１１には（0.0.0.0）、AVアンプ１２には（1.0.0.0）の物理アドレスがそれぞれ割り当てられている。尚、図示せぬBDレコーダ、DVDプレーヤ、および衛星チューナ等が接続されている場合には、例えば、（1.1.0.0）、（1.2.0.0）、（1.3.0.0）等の物理アドレスが、それぞれ割り当てられるようにしてもよい。
【００４１】
また、AVアンプ１２には、スピーカ群１３が接続されている。このスピーカ群１３は、例えば、5.1CHサラウンドを実現する、ユーザの正面、右前方、左前方、右後方、左後方に位置するスピーカ、および低音出力用サブウーファスピーカで構成されている。
【００４２】
図１のAVシステムにおいて、AVアンプ１２は、AVアンプ１２が音声を出力するモード（システムオーディオモード）がオンである場合、図示せぬBDレコーダ等からのHDMI信号を受信し、テレビジョン受像機１１に対して、HDMI信号のうちの映像信号のみを伝送する。また、AVアンプ１２は、システムオーディオモードがオフである場合、BDレコーダ等からのHDMI信号を受信し、テレビジョン受像機１１に対して、BDレコーダ等からのHDMI信号をテレビジョン受像機にそのまま送信する（HDMIパススルーを行う）。
【００４３】
また、図１のAVシステムにおいて、テレビジョン受像機１１、およびAVアンプ１２はそれぞれ、各HDMI装置における操作に応じて、HDMIケーブルよりなるCECラインを介して送受信される制御信号であるCECメッセージ（CEC message）に基づいた動作を行う。
【００４４】
＜物理アドレスと論理アドレスの取得＞
次に、図２を参照して、図１のＡＶシステムにおける、各機器の物理アドレス（Physical Address）およびCEC論理アドレス（Logical Address：単に、論理アドレスとも称する）の取得について説明する。
【００４５】
テレビジョン受像機１１（物理アドレスは［００００］、CEC論理アドレスは｛０｝）にHDMIケーブルを介してAVアンプ１２が接続されるとき、AVアンプ１２はHDMI制御プロトコルを使用して、テレビジョン受像機１１から物理アドレス［１０００］を取得する。
【００４６】
CEC対応機器は、HDMI接続時に、論理アドレスを取得するように規定されている。CEC対応機器は、この論理アドレスを用いて、CECメッセージ（CEC message）の送受信を行う。図２は、デバイスとCEC論理アドレスの対応関係を表すテーブルを示している。デバイスの「TV」はテレビジョン受像機、プロジェクタ等である。デバイスの「Recording Device」はBDレコーダ、DVDレコーダ等である。デバイスの「Tuner」はSTB（Set Top Box）等である。デバイスの「Playback Device」はDVDプレーヤ、カムコーダ等である。デバイスの「Audio System」はAVアンプ等である。
【００４７】
AVアンプ１２は、上述したように、CEC対応機器である。AVアンプ１２は、図２のテーブルに基づいて、「Audio System」として論理アドレス｛５｝を決定する。この場合、AVアンプ１２は、CEC制御プロトコルのPolling Messageで他の機器に、この論理アドレス｛５｝を持つ機器が存在しないことを認識した後に、当該論理アドレス｛５｝を自身の論理アドレスとして決定する。そして、AVアンプ１２は、CEC制御プロトコルのReport Physical Addressにより、物理アドレス［１０００］は、CEC対応機器｛５｝であることを、テレビジョン受像機１１に通知する。
【００４８】
また、AVアンプ１２にHDMIケーブルを介して、例えば、図示せぬBDレコーダが接続されるとき、BDレコーダは、HDMI制御プロトコルを使用して、AVアンプ１２から物理アドレス［１１００］を取得する。
【００４９】
図示せぬBDレコーダがCEC対応機器であるとき、BDレコーダは、図２のテーブルに基づいて、「Recording Device」として論理アドレス｛１｝を決定する。この場合、図示せぬBDレコーダは、CEC制御プロトコルのPolling Messageで他の機器に、この論理アドレス｛１｝を持つ機器が存在しないことを認識した後に、当該論理アドレス｛１｝を自身の論理アドレスとして決定する。そして、図示せぬBDレコーダは、CEC制御プロトコルのReport Physical Addressにより、例えば、物理アドレス［１１００］は、ＣＥＣ対応機器｛１｝であることを、テレビジョン受像機１１およびAVアンプ１２に通知する。
【００５０】
また、AVアンプ１２にHDMIケーブルを介して図示せぬDVDプレーヤが接続されるとき、図示せぬDVDプレーヤは、HDMI制御プロトコルを使用して、例えば、AVアンプ１２から物理アドレス［１２００］を取得する。
【００５１】
図示せぬDVDプレーヤがCEC対応機器であるとき、図示せぬDVDプレーヤは、図２のテーブルに基づいて、「Playback Device」として論理アドレス｛４｝を決定する。この場合、図示せぬDVDプレーヤは、CEC制御プロトコルのPolling Messageで他の機器に、この論理アドレス｛４｝を持つ機器が存在しないことを認識した後に、当該論理アドレス｛４｝を自身の論理アドレスとして決定する。そして、図示せぬDVDプレーヤは、CEC制御プロトコルのReport Physical Addressにより、例えば、物理アドレス［１２００］は、CEC対応機器｛４｝であることを、テレビジョン受像機１１およびAVアンプ１２に通知する。
【００５２】
＜テレビジョン受像機の構成例＞
次に、図３を参照して、テレビジョン受像機１１の具体的な構成例について説明する。
【００５３】
図３のテレビジョン受像機１１は、被制御部３１および制御部３２から構成される。被制御部３１は、制御部３２の制御の下、テレビジョン受像機１１の種々の機能を実現する。
【００５４】
被制御部３１は、HDMIスイッチャ（HDMI SW）５０、HDMI受信部（HDMI Rx）５１、CEC通信部５２、デジタルチューナ５３、デマルチプレクサ（Demux）５４、MPEG(Moving Picture Expert Group)デコーダ５５、映像・グラフィック処理回路５６、パネル駆動回路５７、表示パネル５８、音声処理回路５９、音声増幅回路６０、スピーカ６１、および受信部６２を備えている。また、制御部３２は、CPU（Central Processing Unit）６３、フラッシュROM６４、DRAM（Dynamic Random Access Memory）６５、および内部バス６６を備えている。
【００５５】
HDMIスイッチャ５０は、図示せぬ２つのHDMI端子をHDMI受信部５１に選択的に接続する。
【００５６】
HDMI受信部５１は、HDMIスイッチャ５０を介して、図示せぬ２つのHDMI端子のいずれかに選択的に接続されている。HDMI受信部５１は、HDMIに準拠した通信により、図示せぬ２つのHDMI端子に接続されている外部機器（HDMIソース、またはHDMIリピータ）から一方向に送信されてくるベースバンドの映像と音声の信号（HDMI信号）を受信する。HDMI受信部５１は、受信したHDMI信号のうちの映像信号を映像・グラフィック処理回路５６に供給し、受信したHDMI信号のうちの音声信号を音声処理回路５９に供給する。
【００５７】
CEC通信部５２は、CPU６３の制御に基づいて、HDMIリピータまたはHDMIソースとの間で、CECラインを介したCECメッセージ（CEC message）の送受信を行う。
【００５８】
デジタルチューナ５３は、図示せぬアンテナ端子から入力されたテレビジョン放送信号を処理して、ユーザの選択したチャンネルに対応した所定のTS（Transport Stream）を、デマルチプレクサ５４に供給する。
【００５９】
デマルチプレクサ５４は、デジタルチューナ５３から供給されたTSから、ユーザの選択したチャンネルに対応した、パーシャルTS（映像信号のTSパケット、音声信号のTSパケット）を抽出し、MPEGデコーダ５５に供給する。
【００６０】
また、デマルチプレクサ５４は、デジタルチューナ５３から供給されたTSから、PSI/SI(Program Specific Information/Service Information)を取り出し、CPU６３に供給する。デジタルチューナ５３から供給されたTSには、複数のチャンネルが多重化されている。デマルチプレクサ５４がTSから任意のチャンネルのパーシャルTSを抽出する処理は、PSI/SI（PAT/PMT）から任意のチャンネルのパケットID（PID）の情報を得ることで可能となる。
【００６１】
MPEGデコーダ５５は、デマルチプレクサ５４から供給される映像信号のTSパケットにより構成される映像PES(Packetized Elementary Stream)パケットに対してデコード処理を行い、その結果得られる映像信号を、映像・グラフィック処理回路５６に供給する。また、MPEGデコーダ５５は、デマルチプレクサ５４から供給される音声信号のTSパケットにより構成される音声PESパケットに対してデコード処理を行い、その結果得られる音声信号を、音声処理回路５９に供給する。
【００６２】
映像・グラフィック処理回路５６は、HDMI受信部５１またはMPEGデコーダ５５から供給された映像信号に対して、必要に応じて、スケーリング処理、グラフィックスデータの重畳処理等を行い、パネル駆動回路５７に供給する。
【００６３】
パネル駆動回路５７は、映像・グラフィック処理回路５６から供給された映像信号に基づいて、表示パネル５８を駆動し、映像を表示させる。表示パネル５８は、例えば、LCD(Liquid Crystal Display)またはPDP(Plasma Display Panel)等で構成されている。
【００６４】
音声処理回路５９は、HDMI受信部５１またはMPEGデコーダ５５から供給された音声信号に対してD/A（Digital to Analog）変換等の必要な処理を行い、音声増幅回路６０に供給する。
【００６５】
音声増幅回路６０は、音声処理回路５９から供給されるアナログ音声信号を増幅し、スピーカ６１に供給する。スピーカ６１は、音声増幅回路６０からのアナログ音声信号に応じた音声を出力する。
【００６６】
受信部６２は、リモートコントローラ６７から送信された、例えば赤外線のリモートコントロール信号を受信し、CPU６３に供給する。ユーザは、リモートコントローラ６７を操作することで、テレビジョン受像機１１の操作、および、テレビジョン受像機１１にHDMIケーブルで接続されている、その他のCEC対応機器の操作を行うことができる。
【００６７】
CPU６３、フラッシュROM６４、およびDRAM６５は、内部バス６６を介して接続されている。CPU６３は、テレビジョン受像機１１の各部の動作を制御する。フラッシュROM６４は、制御ソフトウェアの格納およびデータの保管を行う。DRAM６５は、CPU６３のワークエリア等を構成する。すなわち、CPU６３は、フラッシュROM６４から読み出したソフトウェアやデータをDRAM６５上に展開してソフトウェアを起動し、テレビジョン受像機１１の各部を制御する。
【００６８】
＜AVアンプの構成例＞
次に、図４を参照して、AVアンプ１２の具体的な構成例について説明する。
【００６９】
図４のAVアンプ１２は、被制御部７１、マイクロコンピュータ７２、ユーザインタフェース（I/F）部７３、および電源７４から構成される。被制御部７１は、マイクロコンピュータ７２の制御の下、AVアンプ１２の種々の機能を実現する。ユーザI/F部７３は、ユーザの操作に応じた信号の入力を受け付けるとともに、ユーザに対し、情報を提示するようになされている。電源７４は、マイクロコンピュータ７２の制御に基づいて、被制御部７１、およびユーザI/F部７３のそれぞれに、電力を供給する。
【００７０】
被制御部７１は、HDMIスイッチャ（HDMI SW）８１、HDMI受信部（HDMI Rx）８２、HDMI送信部（HDMI Tx）８３、変換部８４、チューナ８５、セレクタ８６、A/D（Analog to Digital）変換器８７、セレクタ８８、DSP（Digital Signal Processor）８９、および音声増幅回路９０を備えている。マイクロコンピュータ７２は、内部バス９１、CPU９２、フラッシュROM９３、DRAM９４、およびCEC通信部９５を備えている。また、ユーザI/F部７３は、ユーザ操作部９５および表示部９６を備えている。
【００７１】
なお、HDMIスイッチャ８１、HDMI受信部８２、およびHDMI送信部８３からなる構成を、以下、HDMIブロック９９と称する。HDMIブロック９９は、システムオーディオモードがオフである場合、BDレコーダ１４からのHDMI信号を受信し、テレビジョン受像機１１に対して、BDレコーダ１４からのHDMI信号をテレビジョン受像機にそのまま送信する（HDMIパススルーを行う）。
【００７２】
HDMIスイッチャ８１は、図示せぬ複数のHDMI端子を、HDMI受信部８２に選択的に接続する。
【００７３】
HDMI受信部８２は、HDMIスイッチャ８１を介して、図示せぬ複数のHDMI端子のいずれかに選択的に接続されている。HDMI受信部８２は、HDMIに準拠した通信により、図示せぬ複数のHDMI端子に接続されている外部機器（HDMIソース）から一方向に送信されてくるベースバンドの映像と音声の信号（HDMI信号）を受信する。HDMI受信部８２は、受信したHDMI信号のうちの音声信号をセレクタ８８に供給したり、受信したHDMI信号をそのままHDMI送信部８３に供給する。
【００７４】
HDMI送信部８３は、HDMIに準拠した通信により、HDMI受信部８２から供給されたベースバンドの映像と音声の信号（HDMI信号）を図示せぬHDMI端子から送出する。
【００７５】
以上のような構成により、AVアンプ１２は、HDMIリピータとして機能する。
【００７６】
変換部８４は、図示せぬ光入力端子から入力されたデジタル光信号から、音声信号のサンプリング周波数と同じ周波数（例えば、44.1kHz）を持つクロックLRCK、サンプリング周波数の例えば512倍あるいは256倍のマスタークロックMCKと、クロックLRCKの１周期毎に存在するそれぞれ24ビットの左右の音声データLDATA，RDATAと、データの各ビットに同期したビットクロックBCKを生成して、セレクタ８８に供給する。
【００７７】
チューナ８５は、図示せぬFM受信アンテナで受信されたFM放送信号を入力するアンテナ端子（図示せず）から入力されたFM放送信号を処理して、ユーザの選択したチャンネルに対応した左右のアナログ音声信号を、セレクタ８６に供給する。
【００７８】
セレクタ８６は、図示せぬ外部機器から供給される左右のアナログ音声信号を入力するアナログ音声入力端子（図示せず）から入力されたアナログ音声信号、または、チューナ８５から供給されたアナログ音声信号を選択的に取り出し、A/D変換器８７に供給する。
【００７９】
A/D変換器８７は、セレクタ８６から供給されたアナログ音声信号をデジタルの音声信号に変換してセレクタ８８に供給する。
【００８０】
セレクタ８８は、HDMI受信部８２から供給される音声信号、変換部８４から供給される音声信号、またはA/D変換器８７から供給される音声信号を選択的に取り出し、DSP８９に供給する。
【００８１】
DSP８９は、セレクタ８８から供給された音声信号を処理する。DSP８９は、例えば、5.1CHサラウンドを実現するための各チャンネルの音声信号を生成する処理、所定の音場特性を付与する処理、デジタル信号をアナログ信号に変換する処理等を行い、音声増幅回路９０に供給する。
【００８２】
音声増幅回路９０は、DSP８９から供給される音声信号としての、フロントレフト音声信号、フロントライト音声信号、フロントセンタ音声信号と、リアレフト音声信号、リアライト音声信号およびサブウーファ音声信号を増幅して、図示せぬ音声出力端子に出力する。なお、図示せぬ音声出力端子には、スピーカ群１３を構成するフロントレフトスピーカ、フロントライトスピーカ、フロントセンタースピーカ、リアレフトスピーカ、リアライトスピーカ、およびサブウーファスピーカが接続されている。
【００８３】
CPU９２、フラッシュROM９３、DRAM９４、およびCEC通信部９５は、内部バス９１を介して接続されている。CPU９２は、AVアンプ１２の各部の動作を制御する。フラッシュROM９３は、制御ソフトウェアの格納およびデータの保管を行う。DRAM９４は、CPU９２のワークエリア等を構成する。CPU９２は、フラッシュROM９３から読み出したソフトウェアやデータをDRAM９４上に展開してソフトウェアを起動し、AVアンプ１２の各部を制御する。
【００８４】
CEC通信部９５は、CPU９２の制御に基づいて、HDMIシンク、HDMIリピータまたはHDMIソースとの間で、CECラインを介したCECメッセージ（CEC message）の送受信を行う。また、CEC通信部９５は、電源オン状態、通常待機電源オフ状態、および省電力待機電源オフ状態の電源状態を管理する。尚、電源オン状態、通常待機電源オフ状態、および省電力待機電源オフ状態の電源状態については、図１０，図１１を参照して、詳細を後述する。
【００８５】
また、CPU９２には、ユーザ操作部９６および表示部９７が接続されている。
【００８６】
ユーザ操作部９６は、AVアンプ１２の図示せぬ筐体に配置されたキー、釦、ダイアル、リモートコントローラ等で構成される。すなわち、ユーザ操作部９６は、各種のキー操作入力、ダイアル操作入力、電源釦の電源のオンオフ操作入力、図示せぬリモートコントローラからの電源操作を含む各種の操作入力を受け付けて、対応する操作信号を発生して、制御部７２のCPU９２に供給する。表示部９７は、LCDや、LCDとは別個に設けられた電源ランプ等で構成され、AVアンプ１２の動作状態、ユーザの操作状態、電源７４の電源状態等を表示する。ユーザは、ユーザ操作部９６を操作することにより、AVアンプ１２から出力される音声の選択および音量設定、チューナ８５の選局、動作設定等を行うことができる。
【００８７】
＜HDMI送信部とHDMI受信部の構成例＞
次に、図５を参照して、HDMI送信部（HDMI送信部８３）と、HDMI受信部（HDMI受信部５１、HDMI受信部８２）の構成例について説明する。
【００８８】
HDMI送信部（HDMIソース）は、一の垂直同期信号から次の垂直同期信号までの区間から、水平帰線区間および垂直帰線区間を除いた区間である有効画像区間（以下、適宜、アクティブビデオ区間ともいう）において、非圧縮の１画面分の画像の画素データに対応する差動信号を、複数のチャネルで、HDMI受信部（HDMIシンク）に一方向に送信するとともに、水平帰線区間または垂直帰線区間において、少なくとも画像に付随する音声データや制御データ、その他の補助データ等に対応する差動信号を、複数のチャネルで、HDMI受信部に一方向に送信する。
【００８９】
すなわち、HDMI送信部は、トランスミッタ１１１を有する。トランスミッタ１１１は、例えば、非圧縮の画像の画素データを対応する差動信号に変換し、複数のチャネルである３つのTMDS（Transition Minimized Differential Signaling）チャネル＃０，＃１，＃２で、HDMIケーブルを介して接続されているHDMI受信部に、一方向にシリアル伝送する。
【００９０】
また、トランスミッタ１１１は、非圧縮の画像に付随する音声データ、さらには、必要な制御データその他の補助データ等を、対応する差動信号に変換し、３つのTMDSチャネル＃０，＃１，＃２（図中のTMDS Channel 0, TMDS Channel 1, TMDS Channel 2）でＨＤＭＩケーブルを介して接続されているHDMI受信部に、一方向にシリアル伝送する。
【００９１】
さらに、トランスミッタ１１１は、３つのTMDSチャネル＃０，＃１，＃２で送信する画素データに同期したピクセルクロックを、TMDSクロックチャネルで、HDMIケーブルを介して接続されているHDMI受信部に送信する。ここで、１つのTMDSチャネル＃ｉ（ｉ＝０，１，２）では、ピクセルクロックの１クロックの間に、１０ビットの画素データが送信される。
【００９２】
HDMI受信部は、アクティブビデオ区間において、複数のチャネルで、HDMI送信部から一方向に送信されてくる、画素データに対応する差動信号を受信する。また、HDMI受信部は、水平帰線区間または垂直帰線区間において、複数のチャネルで、HDMI送信部から一方向に送信されてくる、音声データや制御データに対応する差動信号を受信する。
【００９３】
すなわち、HDMI受信部は、レシーバ１１２を有する。レシーバ１１２は、TMDSチャネル＃０，＃１，＃２で、HDMIケーブルを介して接続されているHDMI送信部から一方向に送信されてくる、画素データに対応する差動信号と、音声データや制御データに対応する差動信号を、同じくHDMI送信部からTMDSクロックチャネルで送信されてくるピクセルクロックに同期して受信する。
【００９４】
HDMI送信部とHDMI受信部とからなるHDMIシステムの伝送チャネルには、HDMI送信部からHDMI受信部に対して、画素データおよび音声データを、ピクセルクロックに同期して、一方向にシリアル伝送するための伝送チャネルとしての３つのTMDSチャネル＃０乃至＃２と、ピクセルクロックを伝送する伝送チャネルとしてのTMDSクロックチャネルの他に、DDC（Display Data Channel）１１３やCECライン（CEC Line）１１４と呼ばれる伝送チャネルがある。
【００９５】
DDC１１３は、HDMIケーブルに含まれる図示せぬ２本の信号線からなり、HDMI送信部が、HDMIケーブルを介して接続されたHDMI受信部から、E-EDID（Enhanced Extended Display Identification Data）を読み出すために使用される。
【００９６】
すなわち、HDMI受信部は、HDMIレシーバ１１２の他に、自身の性能（Configuration/capability）に関する性能情報であるE-EDIDを記憶している、EDID ROM(Read Only Memory)１１５を有している。HDMI送信部は、HDMIケーブルを介して接続されているHDMI受信部から、当該HDMI受信部のE-EDIDを、DDC１１３を介して読み出し、そのE-EDIDに基づき、例えば、HDMI受信部を有する電子機器が対応している画像のフォーマット（プロファイル）、例えば、RGB、YCbCr4:4:4、YCbCr4:2:2等を認識する。
【００９７】
CECライン１１４は、HDMIケーブルに含まれる図示せぬ１本の信号線からなり、HDMI送信部とHDMI受信部との間で、制御用のデータの双方向通信を行うのに用いられる。
【００９８】
また、HDMIケーブルには、HPD（Hot Plug Detect）と呼ばれるピンに接続されるライン１１６が含まれている。ソース機器は、当該ライン１１６を利用して、シンク機器の接続を検出することができる。また、HDMIケーブルには、ソース機器からシンク機器に電源を供給するために用いられるライン１１７が含まれている。ARC（Audio Return Channel）ライン１１８は、HDMI受信部からHDMI送信部に音声を送信するものである。
【００９９】
＜TMDS伝送データ構造＞
次に、図６を参照して、TMDS伝送データ構造について説明する。ここで、図６は、HDMIの３つのTMDSチャネル＃０，＃１，＃２で各種の伝送データが伝送される伝送区間（期間）の例を示している。なお、図６は、TMDSチャネル＃０，＃１，＃２において、横×縦が７２０×４８０画素のプログレッシブの画像が伝送される場合の、各種の伝送データの区間を示している。
【０１００】
HDMIの３つのTMDSチャネル＃０，＃１，＃２で伝送データが伝送されるビデオフィールド（Video Field）には、伝送データの種類に応じて、ビデオデータ区間（Video Data period）、データアイランド区間（Data Island period）、およびコントロール区間（Control period）の３種類の区間が存在する。
【０１０１】
ここで、ビデオフィールド区間は、ある垂直同期信号の立ち上がりエッジ（active edge）から次の垂直同期信号の立ち上がりエッジまでの区間であり、水平ブランキング期間（horizontal blanking）、垂直ブランキング期間（vertical blanking）、並びに、ビデオフィールド区間から、水平ブランキング期間および垂直ブランキング期間を除いた区間であるアクティブビデオ区間（Active Video）に分けられる。
【０１０２】
ビデオデータ区間は、アクティブビデオ区間に割り当てられる。このビデオデータ区間では、非圧縮の１画面分の画像データを構成する720画素×480ライン分の有効画素（Active pixel）のデータが伝送される。
【０１０３】
データアイランド区間およびコントロール区間は、水平ブランキング期間および垂直ブランキング期間に割り当てられる。このデータアイランド区間およびコントロール区間では、補助データ（Auxiliary data）が伝送される。
【０１０４】
すなわち、データアイランド区間は、水平ブランキング期間と垂直ブランキング期間の一部分に割り当てられている。このデータアイランド区間では、補助データのうち、制御に関係しないデータである、例えば、音声データのパケット等が伝送される。
【０１０５】
コントロール区間は、水平ブランキング期間と垂直ブランキング期間の他の部分に割り当てられている。このコントロール区間では、補助データのうちの、制御に関係するデータである、例えば、垂直同期信号および水平同期信号、制御パケット等が伝送される。
【０１０６】
ここで、現行のHDMIでは、TMDSクロックチャネルで伝送されるピクセルクロックの周波数は、例えば１６５MHzであり、この場合、データアイランド区間の伝送レートは約500Mbps程度である。
【０１０７】
＜HDMI端子のピン配列＞
次に、図７を参照して、HDMI端子のピン配列について説明する。尚、図７は、HDMI端子のピン配列のうち、タイプＡ（type-A）の例を示したものである。
【０１０８】
TMDSチャネル＃ｉの差動信号であるTMDS Data＃ｉ＋とTMDS Data＃ｉ−が伝送される差動線である２本のラインは、TMDS Data＃ｉ＋が割り当てられているピン（ピン番号が１，４，７のピン）と、TMDS Data＃ｉ−が割り当てられているピン（ピン番号が３，６，９のピン）に接続される。
【０１０９】
また、制御用のデータであるCEC信号が伝送されるCECライン１１４は、ピン番号が１３であるピンに接続され、ピン番号が１４のピンは空き（Reserved）ピンとなっている。また、E-EDID等のSDA（Serial Data）信号が伝送されるラインは、ピン番号が１６であるピンに接続され、SDA信号の送受信時の同期に用いられるクロック信号であるSCL（Serial Clock）信号が伝送されるラインは、ピン番号が１５であるピンに接続される。上述のDDC１１３は、SDA信号が伝送されるラインおよびSCL信号が伝送されるラインにより構成される。
【０１１０】
また、上述したようにソース機器がシンク機器の接続を検出するためのライン１１６は、ピン番号が１９であるピンに接続される。また、上述したように電源を供給するためのライン１１７は、ピン番号が１８であるピンに接続される。
【０１１１】
＜CECデータ構造＞
次に、図８を参照して、CECラインで伝送されるデータのブロック構成について説明する。CECラインでは、１ブロックが4.5ｍ秒で伝送される構成とされている。データ伝送開始時には、スタートビットが配置され、それに続いて、ヘッダブロックが配置され、その後に、実際に伝送したいデータが含まれる任意の個数（ｎ個）のデータブロック１乃至ｎが配置される。
【０１１２】
＜ヘッダブロックデータ構造＞
次に、図９を参照して、ヘッダブロックのデータ構造について説明する。図９は、ヘッダブロックのデータ構造例を示している。ヘッダブロックには、送信元を表す4ビットの論理アドレス（b4乃至b7）と、送信先を表す4ビットの論理アドレス（b0乃至b3）とが配置される。このヘッダブロックの構造により、CECラインで受信されるデータの送信先が自らのものであるか否かが判別可能となり、さらには、送信先が自らのものであるとき、送信元を認識することが可能となる。
【０１１３】
＜電源状態とその遷移＞
次に、図１０，図１１を参照して、AVアンプ１２における電源状態と、その遷移について説明する。
【０１１４】
AVアンプ１２における電源状態には、図１０で示されるように、電源オフ状態となる状態１４１，１４２と、電源オン状態となる状態１４３の３種類の電源状態がある。
【０１１５】
電源オンとなる状態１４３は、図１１の最下段で示されるように、電力が全ての構成に通電されており、例えば、電源がオンにされた状態のときに点灯する電源ランプを含む表示部９７においては、電源ランプが点灯した状態であるため、ユーザの見た目においてもオンの状態であり、機能の全てを実現できる状態である。このため、状態１４３において、HDMIリピータであるAVアンプ１２は、HDMIケーブルを介してHDMIシンクであるテレビジョン受像機１１との通信も可能であり、状態１４１，１４２と比較して動作電力も大きくなる。
【０１１６】
一方、図１１の上から２段で表される、電源オフ状態となる状態１４１，１４２では、表示部９７に含まれる電源ランプなどが消灯している状態であり、ユーザから見た動作状態は、電源がオフとされた状態である。
【０１１７】
このうち、図１１の最上段で示される、状態１４１は、電源がオフにされた状態で、かつ、HDMIケーブルが抜去され、HDMIシンクであるテレビジョン受像機１１とは接続されておらず、マイクロコンピュータ７２のクロックが停止し、CEC通信部９５による通信も不能となる省電力待機状態である。より具体的には、マイクロコンピュータ７２、操作キーのキー入力部やリモートコントローラ入力部などを含むユーザ操作部９６には通電された状態となる。しかしながら、CPU９２や、CEC通信部９５の動作も停止された状態となるため、CEC通信も不能な状態となる。このとき、AVアンプ１２の本体の電源ボタンやリモートコントローラからの電源オン操作などがなされると、それをトリガに電源オフ（通常待機）状態１４２に遷移しつつ、電源オン状態である状態１４３へと遷移する。この状態１４１はCPUクロックを停止させているため、動作電力は極僅か（極小）となる。
【０１１８】
これに対して、図１１の上から２段目で示される、状態１４２は、電源オフではあるものの、HDMIケーブルが接続されていることを前提としているため、HDMIシンクであるテレビジョン受像機１１と接続されており、操作キーのキー入力部やリモートコントローラ入力部などを含むユーザ操作部９６で通電され、さらに、CPU９２やCEC通信部９５にも通電されるので、CEC通信は可能である。このため、HDMIシンクであるテレビジョン受像機１１の電源がオンにされると、CEC通信により連動して電源オン状態である状態１４３に遷移でき、さらに、テレビジョン受像機１１がオフにされれば、状態１４２に遷移することができる。さらに、HDMIリピータであるAVアンプ１２に対して、HDMIシンクとなるテレビジョン受像機１１とのHDMIケーブルとの接続が切り離されると、その状態が検出されて、状態１４１へと遷移する。このため、通常待機電源オフ状態である状態１４２の動作電力は、電源オン状態である状態１４３よりは小さいものの、省電力待機電源オフ状態である状態１４１よりは大きなものとなる。
【０１１９】
結果として、HDMIリピータとなるAVアンプ１２は、自らから見て、HDMIシンクとなるテレビジョン受像機１１とを接続するHDMIケーブルが抜去されると、その状態を検出して、消費電力を最小にすることが可能となる。
【０１２０】
＜第１の実施の形態における省電力待機遷移判定処理＞
次に、図１２のフローチャートを参照して、省電力待機遷移判定処理について説明する。
【０１２１】
ステップＳ１１において、CEC通信部９５は、自らであるAVアンプ１２の電源がオフ状態であるか否かを判定し、オフ状態であると判定されるまで、同様の処理が繰り返される。ステップＳ１１において、例えば、ユーザ操作部９６における電源釦が操作されて、AVアンプ１２の電源がオフにされた場合、または、HDMIシンクであるテレビジョン受像機１１から電源をオフする信号がCEC通信により認識された場合、処理は、ステップＳ１２に進む。
【０１２２】
ステップＳ１２において、CPU９２は、マイクロコンピュータ７２とユーザ操作入力部９６等の入力を受け付けるための機能以外の構成に対する電力供給を停止させる。この処理により、動作状態は、電源オン状態である状態１４３から、通常待機の電源オフ状態である状態１４２に遷移されることになる。
【０１２３】
ステップＳ１３において、CEC通信部９５は、内蔵する計時カウンタＴのカウントを開始する。
【０１２４】
ステップＳ１４において、CEC通信部９５は、計時カウンタＴが、所定時間、例えば、１分が経過したか否かを判定し、１分が経過するまで、同様の処理を繰り返す。そして、ステップＳ１４において、１分が経過したとみなされた場合、処理は、ステップＳ１５に進む。
【０１２５】
ステップＳ１５において、CEC通信部９５は、HDMIシンクであるテレビジョン受像機１１に対してポーリング信号を送信する。より詳細には、CEC通信部９５は、送信元である自らの論理アドレス｛５｝と、送信先であるテレビジョン受像機１１の論理アドレス｛０｝とを用いて、「50」といったヘッダブロックを構成し、例えば、50<polling>といったCEC制御プロトコルのPolling Messageを生成して送信する。ただし、ここでは、説明を簡略化するため10進数からなる論理アドレスをそのまま用いてヘッダブロックを構成した例について説明しているが、実際には、図９を参照して説明したように、それぞれ、4ビットで表現されるものである。
【０１２６】
ステップＳ３１において、テレビジョン受像機１１のCEC通信部５２は、自らにポーリング信号が送信されてきているか否かを判定する。より詳細には、CEC通信部５２は、送信先となる論理アドレスが、自らを表すPolling Messageが送信されてきているか否かを判定する。ステップＳ３１において、自らにポーリング信号が送信されてきた場合、処理は、ステップＳ３２に進む。
【０１２７】
ステップＳ３２において、CEC通信部５２は、送信されてきたポーリング信号の送信元であるAVアンプ１２に対して、ACKを送信する。すなわち、この場合においても、CEC通信部５２は、送信元である論理アドレス｛０｝と、送信先である論理アドレス｛５｝とを用いて、例えば、「05」からなるヘッダブロックを構成し、05<ACK>といったACKを送信する。
【０１２８】
ステップＳ３３において、CEC通信部５２は、動作の終了が指示されたか否かを判定し、終了が指示されない場合、処理は、ステップＳ３１に戻り、以降の処理が繰り返される。そして、ステップＳ３３において、動作の終了が指示された場合、処理は、終了する。
【０１２９】
また、ステップＳ１６において、AVアンプ１２のCEC通信部９５は、ステップＳ１５の処理で送信したポーリング信号が送信されてから所定時間内に、そのポーリング信号に対応するACKが送信されてきたか否かを判定する。より詳細には、ヘッダブロックにおいて、送信先が自らであり、かつ、送信元がHDMIシンクであるテレビジョン受像機１１のものであるACKが、ポーリング信号を送信してから所定時間内に送信されてきたか否かが判定される。
【０１３０】
ステップＳ１６において、ポーリング信号が送信されてから所定時間内にACKが送信されてきた場合、処理は、ステップＳ１７に進む。
【０１３１】
ステップＳ１７において、CEC通信部９５は、ACKなしカウンタANをクリアし、処理は、ステップＳ１９に進む。
【０１３２】
すなわち、この場合においては、ポーリング信号が送信されてから、所定時間内に、ポーリング信号の送信先であって、HDMIシンクであるテレビジョン受像機１１からACKが送信されてくるので、テレビジョン受像機１１とAVアンプ１２とは、HDMIケーブルにより接続された状態であることが確認されることになり、ACKなしカウンタANがクリアされる。
【０１３３】
一方、ステップＳ１６において、ポーリング信号が送信されてから所定時間内にACKが送信されてきこない場合、処理は、ステップＳ１８に進む。
【０１３４】
ステップＳ１８において、CEC通信部９５は、ACKなしカウンタANを１インクリメントし、処理は、ステップＳ１９に進む。
【０１３５】
すなわち、この場合においては、ポーリング信号が送信されてから、所定時間内に、ポーリング信号の送信先であって、HDMIシンクであるテレビジョン受像機１１からACKが送信されてこないので、テレビジョン受像機１１とAVアンプ１２とは、HDMIケーブルにより接続されていない状態であることが確認されることになり、ACKなしカウンタANが１インクリメントされる。
【０１３６】
ステップＳ１９において、CEC通信部９５は、ACKなしカウンタANが所定回数Th、例えば、Th＝１で表される１回より多いか否か（２回以上か否か）を判定し、多くない場合、処理は、ステップＳ２０に進む。
【０１３７】
ステップＳ２０において、CEC通信部９５は、テレビジョン受像機１１が操作されるなどして、電源オン状態にされたか否かを判定し、電源オン状態にされた場合、処理は、ステップＳ２１に進む。
【０１３８】
ステップＳ２１において、CPU９２は、全構成に対して電力供給を介して、AVアンプ１２を電源オン状態にし、処理は、ステップＳ１１に戻る。すなわち、この処理により、動作状態は、図１０における状態１４２から状態１４３へと遷移することになる。
【０１３９】
また、ステップＳ２０において、電源オンにされていないとみなされた場合、処理は、ステップＳ１３に戻り、以降の処理が繰り返される。
【０１４０】
そして、ステップＳ１９において、ACKなしカウンタANが所定回数である２回を超える場合、処理は、ステップＳ２２に進み、CEC通信部９５は、CPU９２に対して、HDMIケーブルによりテレビジョン受像機１１との接続がなされていない状態であることを通知する。この通知に応じて、CPU９２は、自らの電力供給をも停止させて、動作状態を省電力待機の電源オフ状態に遷移させる。この処理により、図１０における通常待機の電源オフ状態である状態１４２から、省電力待機の電源オフ状態の状態１４１へと遷移される。
【０１４１】
すなわち、図１３で示されるように、AVアンプ１２がオフにされると、時刻Ｔ１，Ｔ２，Ｔ３と１分間隔でHDMIシンクであるテレビジョン受像機１１に対してポーリング信号が送信される。このとき、図１３で示されるように、時刻Ｔ１，Ｔ２，Ｔ３より所定時間内の時刻Ｔ１１，Ｔ１２，Ｔ１３のそれぞれにおいて、テレビジョン受像機１１よりACKが送信されてくるとき、ACKなしカウンタANは、毎回、カウントがクリアされることになるので、ステップＳ１９において、所定回数Thの２回を超えることがないので、ステップＳ１３乃至Ｓ２１の処理が繰り返されることになる。
【０１４２】
これに対して、図１４で示されるように、AVアンプ１２とテレビジョン受像機１１とを接続するHDMIケーブルが抜去された場合であって、AVアンプ１２がオフにされてから、１分間隔でポーリング信号が送信されるとき、時刻Ｔ３１で示されるタイミングにポーリング信号が送信されて、ACKがない状態（No ACK）になると、ACKなしカウンタANが１インクリメントされてAN＝１となる。
【０１４３】
さらに、１分経過した時刻Ｔ３２で示されるタイミングにポーリング信号が送信されて、ACKがない状態になると、ACKなしカウンタANがさらに１インクリメントされて、AN＝２となり、Th＝１よりも大きくなる。このため、その次のタイミングとなる時刻Ｔ３３において、ACKなしカウンタANが所定回数Thを超えたものとみなされて、省電力待機の電源オフ状態へと遷移することで、状態１４２から状態１４１へと遷移することになる。
【０１４４】
すなわち、この場合、AVアンプ１２は、HDMIシンクであるテレビジョン受像機１１とHDMIケーブルにより接続されていないものとみなされて、省電力待機の電源オフ状態へと遷移するので、HDMIケーブルにより接続されているネットワークに接続された状態から逸脱した状態となったときに、消費電力を最小限にすることが可能となる。
【０１４５】
結果として、ネットワークスタンバイという他機器との連携を行う待機状態から逸脱した場合には、ネットワークスタンバイという他機器との連携を行うために必要とされる電力供給を停止させることが可能となり、ネットワークスタンバイという他機器との連携を行うために必要とされる電力消費をも低減することが可能となる。
【０１４６】
尚、AVアンプ１２が、HDMIシンクであるテレビジョン受像機１１に対してネットワーク接続された状態であるか否かを判定するにあたっては、他の信号線などを用いて検出する方法も考えられる。例えば、OPTICALケーブルに送信される信号を検出し、テレビから受信される光信号が途絶えたときにネットワークスタンバイが不要になったものとみなすようにすることも考えられる。
【０１４７】
すなわち、図１５の左部で示されるように、論理アドレスが｛０｝（LA＝０）のテレビジョン受像機１１と、論理アドレスが｛５｝（LA＝５）のAVアンプ１２が直接HDMIケーブルまたは光ケーブルで接続されているような場合については、HDMIケーブルをOPTICALケーブルに置き換えることで対応は可能である。
【０１４８】
しかしながら、図１５の右部で示されるように、論理アドレスが｛０｝（LA＝０）のテレビジョン受像機１１と、論理アドレスが｛５｝（LA＝５）のAVアンプ１２との間に、論理アドレスが｛１５｝（LA＝１５）のCECスイッチ（CEC switch）１６１等が接続される場合、HDMIケーブルを用いると、ポーリング信号、およびACKは、いずれも論理アドレスを用いた送信元と送信先の情報を含むヘッダブロックを用いて送受信されるため、CECスイッチ１６１がネットワーク経路上に存在していても同様の機能を奏することが可能である。
【０１４９】
したがって、本開示の技術を適用することで、低コストで、かつ、容易な構成で、ネットワークスタンバイ状態であるか否かが検出されて、ネットワークスタンバイ状態ではなく、ネットワークスタンバイに係る動作が不要となったとみなされたときに、ネットワークスタンバイに必要とされる電力消費を低減させることが可能となる。
【０１５０】
尚、以上においては、HDMIシンクがテレビジョン受像機１１であり、HDMIリピータがAVアンプ１２である例について説明してきたが、テレビジョン受像機１１以外のその他の構成がHDMIシンクである場合については、HDMIシンクとして設定されたその他の装置に対してポーリング信号を送信し、ACKの有無を判定することで、HDMIケーブルが接続されているか否かを判定することで同様の効果を奏することが可能となる。
【０１５１】
＜＜２．第１の実施の形態の変形例＞＞
以上においては、AVアンプ１２が、HDMIシンクであるテレビジョン受像機１１とHDMIケーブルで接続された状態であるか否かを判定して、接続されない状態となったとき、電源オフの状態における通常待機電源オフ状態から、省電力待機電源オフ状態へと変化させて、ネットワークスタンバイ状態における消費電力よりもさらに省電力化する例について説明してきた。
【０１５２】
しかしながら、実際には、HDMIシンクであるテレビジョン受像機１１が、HDMIリピータとなるAVアンプ１２に対してポーリング信号を送信し、AVアンプ１２からのACKを受信することで、テレビジョン受像機１１が、自らのHDMIリピータとして接続されている機器を確認する機能が設けられている。このため、このテレビジョン受像機１１からのポーリング信号を利用して、AVアンプ１２からポーリング信号を送信しないようにして、より消費電力を低減できるようにしてもよい。
【０１５３】
＜第１の実施の形態の変形例における省電力待機遷移判定処理＞
次に、図１６のフローチャートを参照して、変形例における省電力待機遷移判定処理について説明する。
【０１５４】
また、図１６のフローチャートにおけるステップＳ５７乃至Ｓ６４の処理、およびステップＳ８７乃至Ｓ８９の処理は、図１２のフローチャートにおけるステップＳ１５乃至Ｓ２２の処理、およびステップＳ３１乃至Ｓ３３の処理と同様であるので、その説明は適宜省略するものとする。
【０１５５】
すなわち、ステップＳ５１において、CEC通信部９５は、自らであるAVアンプ１２の電源がオフ状態であるか否かを判定し、オフ状態であると判定されるまで、同様の処理が繰り返される。ステップＳ１１において、例えば、電源が操作されて、AVアンプ１２の電源がオフにされた場合、処理は、ステップＳ５２に進む。
【０１５６】
ステップＳ５２において、CPU９２は、マイクロコンピュータ７２とユーザ操作入力部９６等の入力を受け付けるための機能以外の構成に対する電力供給を停止させる。この処理により、動作状態は、電源オン状態である状態１４３から、通常待機の電源オフ状態である状態１４２に遷移されることになる。
【０１５７】
ステップＳ５３において、CEC通信部９５は、内蔵する計時カウンタＴをリセットすると共にカウントを開始する。
【０１５８】
ここで、ステップＳ８１において、テレビジョン受像機１１のCEC通信部５２は、計時カウンタＴＭのカウントを開始する。
【０１５９】
ステップＳ８２において、CEC通信部５２は、計時カウンタＴＭが15秒経過したか否かを判定し、経過していない場合、処理は、ステップＳ８７に進む。すなわち、15秒が経過するまでは、ステップＳ８２，Ｓ８７乃至Ｓ８９の処理が繰り返される。そして、ステップＳ８２において、15秒が経過した場合、処理は、ステップＳ８３に進む。
【０１６０】
ステップＳ８３において、CEC通信部５２は、ポーリング信号をAVアンプ１２に向けて送信すると共に、計時カウンタＴＭをリセットする。より詳細には、CEC通信部５２は、送信元である自らの論理アドレス｛０｝と、送信先であるAVアンプ１２の論理アドレス｛５｝とを用いて、「05」といったヘッダブロックを構成し、例えば、05<polling>といったCEC制御プロトコルのPolling Messageを生成して送信する。
【０１６１】
これに応じて、ステップＳ５４において、CEC通信部９５は、HDMIシンクであるテレビジョン受像機１１からポーリング信号が送信されてきたか否かを判定する。ステップＳ５４において、テレビジョン受像機１１からポーリング信号が送信されてきた場合、処理は、ステップＳ５５に進む。
【０１６２】
ステップＳ５５において、CEC通信部９５は、ポーリング信号に対するACKを返信する。
【０１６３】
ステップＳ８４において、CEC通信部５２は、AVアンプ１２からACKが送信されてきたか否かを判定する。ステップＳ８４において、ACKが送信されてきたと判定された場合、処理は、ステップＳ８５に進む。
【０１６４】
ステップＳ８５において、CEC通信部５２は、ACKが送信されてきたことによりAVアンプ１２がHDMIケーブルを介して接続され、自らがHDMIシンクとして機能するネットワークに接続されていることを認識する。
【０１６５】
一方、ステップＳ８４において、AVアンプ１２からACKが返信されない場合、処理は、ステップＳ８６に進む。
【０１６６】
ステップＳ８６において、CEC通信部５２は、ACKが返信されないことによりAVアンプ１２がHDMIケーブルを介して接続されておらず、自らがHDMIシンクとして機能するネットワークに接続されていないことを認識する。
【０１６７】
また、AVアンプ１２においては、ステップＳ５４において、ポーリング信号が送信されてきていないと判定された場合、処理は、ステップＳ５６に進み、計時カウンタＴが１分を経過する毎に、テレビジョン受像機１１に対してポーリング信号を送信する。
【０１６８】
ところで、AVアンプ１２は、テレビジョン受像機１１に対して１分間隔でポーリング信号を送信するのに対して、テレビジョン受像機１１は、図１７で示されるように、AVアンプ１２に対してポーリング信号を15秒間隔で送信する。
【０１６９】
すなわち、図１７において、テレビジョン受像機１１は、時刻Ｔ６１，Ｔ６２，Ｔ６３のそれぞれのタイミングにおいて、１５秒間隔でポーリング信号を送信している。これに対して、AVアンプ１２は、時刻Ｔ７１，Ｔ７２，Ｔ７３のそれぞれのタイミングで、送信されてくるポーリング信号に対応するACKを送信すると共に、その後、計時カウンタＴをリセットしてカウントを再度開始している。
【０１７０】
この結果、テレビジョン受像機１１とAVアンプ１２とがHDMIケーブルで接続されており、テレビジョン受像機１１からのポーリングが繰り返し送信されている限り、AVアンプ１２は、ポーリング信号を送信する必要がなくなるため、通常待機電源オフ状態において、AVアンプからの余計なポーリング動作が必要なくなり、CEC BUSの負荷を抑えることが可能となる。
【０１７１】
尚、以上において、テレビジョン受像機１１のポーリング信号が送信される間隔が15秒であり、AVアンプ１２のポーリング信号が送信される間隔が1分であるが、AVアンプ１２のポーリング信号の送信間隔が、テレビジョン受像機１１のポーリング信号の送信間隔よりも短い限り、他の送信間隔であってもよいものである。
【０１７２】
＜＜３．第２の実施の形態＞＞
以上においては、AVアンプ１２が、省電力待機電源オフ状態である状態１４１に遷移すると、HDMIケーブルをHDMIシンクであるテレビジョン受像機１１に接続しても、本体の電源ボタンやリモートコントローラによる操作がなされて、電源オン状態である状態１４３に遷移させる必要がある。しかしながら、テレビジョン受像機１１が所定の時間間隔で、所定のCEC messageを送信し続け、HDMIケーブルが接続されることで、所定のCEC massageを受信することで、AVアンプ１２を通常待機の電源オフ状態である状態１４２に遷移させるようにしてもよい。
【０１７３】
図１８は、テレビジョン受像機１１が所定の時間間隔で、所定のCEC messageを送信し続け、HDMIケーブルが接続されることで、所定のCEC massageを受信することで、省電力待機電源オフ状態の状態１４１から通常待機の電源オフ状態である状態１４２に遷移させるようにしたAVアンプ１２の構成例を示している。尚、図１８において、図４のAVアンプ１２と同一の機能を備えた構成については、同一の符号、および同一の名称を付しており、その説明は適宜省略するものとする。
【０１７４】
すなわち、図１８のAVアンプ１２において、図４のAVアンプ１２と異なる点は、CEC通信部９５に、割込処理部９５ａが設けられている点である。割込処理部９５ａは、省電力待機電源オフ状態である状態１４１であるとき、HDMIケーブルがテレビジョン受像機１１から所定のCEC messageが送信されてくると、そのメッセージに応じて、CPU９２に対して、省電力待機電源オフ状態である状態１４１から通常電源オフ状態である状態１４２へと復帰するように指示する。CPU９２は、この復帰指示により動作を開始して、他の必要な部位に電力を供給する。尚、CEC通信部９５は、HDMIケーブルを介して送信されてくる所定のCEC messageの他、電源ボタンの操作信号や、リモートコントローラの操作信号を受け付けて、これに応じてCPU９２を起動させて、通常待機電源オフ状態に遷移させるようにしてもよい。
【０１７５】
すなわち、この場合、電源オン状態の状態１４１、通常待機電源オフ状態の状態１４２、および省電力待機電源オフ状態の状態１４３のそれぞれの動作状態は、例えば、図１９で示されるような関係となる。尚、図１９において、図１１と同一の記載については、説明を省略するものとする。
【０１７６】
図１９において、図１１と異なる点は、省電力待機の電源オフ状態におけるCPU９２の動作状態である。すなわち、図１９においては、CPU９２は、原則的には動作が停止状態となるが、この場合においても、割込処理部９５ａのみは電力供給を受けて動作しており、ユーザによる電源ボタンの操作信号や、リモートコントローラの操作信号を受け付けたときだけでなく、任意のCECメッセージを受けたことで、CEC通信を再開させる。
【０１７７】
尚、テレビジョン受像機１１については、既存のCEC messageを、省電力待機電源オフ状態から復帰させるために送信するのみでよいため、図３のテレビジョン受像機１１と同様のものであればよいので、その説明は省略するものとする。
【０１７８】
＜第２の実施の形態における復帰処理＞
次に、図２０のフローチャートを参照して、第２の実施の形態の構成例における省電力待機電源オフ状態から通常待機電源オフ状態に復帰させるための処理について説明する。尚、この処理は、省電力待機電源オフ状態からから通常待機電源オフ状態に復帰させるための処理であるので、処理が開始されるときには、既に、省電力待機電源オフ状態であることが前提となる。
【０１７９】
すなわち、ステップＳ１０１において、テレビジョン受像機１１のCEC通信部５２は、計時カウンタＴＭのカウントをリセットし、カウントを開始する。
【０１８０】
ステップＳ１０２において、CEC通信部５２は、計時カウンタＴＭが所定の時間を経過しているか否かを判定し、所定の時間が経過するまで、同じ処理を繰り返す。そして、ステップＳ１０２において、計時カウンタＴＭの所定の時間が経過したとみなされた場合、処理は、ステップＳ１０３に進む。
【０１８１】
ステップＳ１０３において、CEC通信部５２は、AVアンプ１２に対して所定のCEC messageを送信する。
【０１８２】
ステップＳ１０４において、CEC通信部５２は、処理の終了が指示されたか否かを判定し、処理の終了が指示されない場合、処理は、ステップＳ１０１の処理に戻り、以降の処理が繰り返される。そして、ステップＳ１０４において、処理の終了が指示された場合、処理は、終了する。
【０１８３】
また、ステップＳ１１１において、AVアンプ１２のCEC通信部９５の割込処理部９５ａは、所定のCEC messageがテレビジョン受像機１１より送信されてきたか否かを判定する。ステップＳ１１１において、テレビジョン受像機１１より所定のCEC messageが送信されてきた場合、処理は、ステップＳ１１２に進む。
【０１８４】
ステップＳ１１２において、CEC通信部９５の割込処理部９５ａは、所定のCEC messageを受信すると、省電力待機電源オフ状態から通常待機電源オフ状態へと遷移させるようにCPU９２に対して指示し、通常待機電源オフ状態に復帰させ、処理は、終了する。
【０１８５】
また、ステップＳ１１１において、CEC messageが送信されてこなかった場合、処理は、ステップＳ１１３に進む。
【０１８６】
ステップＳ１１３において、CEC通信部９５の割込処理部９５ａは、省電力待機電源オフ状態であるか否かを判定し、省電力待機電源オフ状態である場合、処理は、ステップＳ１１１に戻り、それ以降の処理を繰り返す。
【０１８７】
そして、ステップＳ１１３において、省電力電源オフ状態ではないとみなされた場合、すなわち、例えば、ユーザ操作部９６が操作されて、電源がオンに操作された場合、電源状態は電源オン状態になるため、復帰処理は終了されることになる。
【０１８８】
すなわち、以上の処理により、図２１で示されるように、テレビジョン受像機１１から時刻Ｔ８１において、所定の時間間隔で発信される、省電力待機電源オフ状態から通常待機電源オフ状態へと遷移させるための任意のCEC messageが送信された状態であり、この状態で、HDMIケーブルによりテレビジョン受像機１１とAVアンプ１２とが接続されると、時刻Ｔ９１において、AVアンプ１２の電源状態が、省電力待機電源オフ状態から通常待機電源オフ状態へと遷移される。
【０１８９】
結果として、AVアンプ１２は、HDMIシンクであるテレビジョン受像機１１とのHDMIケーブルによる接続がなくなると、省電力待機電源オフ状態に遷移することで、通常待機電源オフ状態よりも、消費電力を低減させることが可能になると共に、HDMIケーブルを差し込むだけで、通常待機電源オフ状態とすることが可能になる。さらに、HDMIケーブルによりHDMIシンクであるテレビジョン受像機１１と接続し直すだけで、通常待機電源オフ状態とすることが可能となり、AVアンプ１２を容易に使用することが可能となり、利便性と省電力化を実現することが可能となる。
【０１９０】
＜＜４．応用例＞＞
＜ソフトウェアにより実行させる例＞
ところで、上述した一連の処理は、ハードウェアにより実行させることもできるが、ソフトウェアにより実行させることもできる。一連の処理をソフトウェアにより実行させる場合には、そのソフトウェアを構成するプログラムが、専用のハードウェアに組み込まれているコンピュータ、または、各種のプログラムをインストールすることで、各種の機能を実行することが可能な、例えば汎用のパーソナルコンピュータなどに、記録媒体からインストールされる。
【０１９１】
図２２は、汎用のパーソナルコンピュータの構成例を示している。このパーソナルコンピュータは、CPU(Central Processing Unit)１００１を内蔵している。CPU１００１にはバス１００４を介して、入出力インタ-フェイス１００５が接続されている。バス１００４には、ROM(Read Only Memory)１００２およびRAM(Random Access Memory)１００３が接続されている。
【０１９２】
入出力インタ-フェイス１００５には、ユーザが操作コマンドを入力するキーボード、マウスなどの入力デバイスよりなる入力部１００６、処理操作画面や処理結果の画像を表示デバイスに出力する出力部１００７、プログラムや各種データを格納するハードディスクドライブなどよりなる記憶部１００８、LAN（Local Area Network）アダプタなどよりなり、インターネットに代表されるネットワークを介した通信処理を実行する通信部１００９が接続されている。また、磁気ディスク（フレキシブルディスクを含む）、光ディスク（CD-ROM(Compact Disc-Read Only Memory)、DVD(Digital Versatile Disc)を含む）、光磁気ディスク（ＭＤ(Mini Disc)を含む）、もしくは半導体メモリなどのリムーバブルメディア１０１１に対してデータを読み書きするドライブ１０１０が接続されている。
【０１９３】
CPU１００１は、ROM１００２に記憶されているプログラム、または磁気ディスク、光ディスク、光磁気ディスク、もしくは半導体メモリ等のリムーバブルメディア１０１１ら読み出されて記憶部１００８にインストールされ、記憶部１００８からRAM１００３にロードされたプログラムに従って各種の処理を実行する。RAM１００３にはまた、CPU１００１が各種の処理を実行する上において必要なデータなども適宜記憶される。
【０１９４】
以上のように構成されるコンピュータでは、CPU１００１が、例えば、記憶部１００８に記憶されているプログラムを、入出力インタフェース１００５及びバス１００４を介して、RAM１００３にロードして実行することにより、上述した一連の処理が行われる。
【０１９５】
コンピュータ（CPU１００１）が実行するプログラムは、例えば、パッケージメディア等としてのリムーバブルメディア１０１１に記録して提供することができる。また、プログラムは、ローカルエリアネットワーク、インターネット、デジタル衛星放送といった、有線または無線の伝送媒体を介して提供することができる。
【０１９６】
コンピュータでは、プログラムは、リムーバブルメディア１０１１をドライブ１０１０に装着することにより、入出力インタフェース１００５を介して、記憶部１００８にインストールすることができる。また、プログラムは、有線または無線の伝送媒体を介して、通信部１００９で受信し、記憶部１００８にインストールすることができる。その他、プログラムは、ROM１００２や記憶部１００８に、あらかじめインストールしておくことができる。
【０１９７】
なお、コンピュータが実行するプログラムは、本明細書で説明する順序に沿って時系列に処理が行われるプログラムであっても良いし、並列に、あるいは呼び出しが行われたとき等の必要なタイミングで処理が行われるプログラムであっても良い。
【０１９８】
また、本明細書において、システムとは、複数の構成要素（装置、モジュール（部品）等）の集合を意味し、すべての構成要素が同一筐体中にあるか否かは問わない。したがって、別個の筐体に収納され、ネットワークを介して接続されている複数の装置、及び、１つの筐体の中に複数のモジュールが収納されている１つの装置は、いずれも、システムである。
【０１９９】
なお、本開示の実施の形態は、上述した実施の形態に限定されるものではなく、本開示の要旨を逸脱しない範囲において種々の変更が可能である。
【０２００】
例えば、本開示は、１つの機能をネットワークを介して複数の装置で分担、共同して処理するクラウドコンピューティングの構成をとることができる。
【０２０１】
また、上述のフローチャートで説明した各ステップは、１つの装置で実行する他、複数の装置で分担して実行することができる。
【０２０２】
さらに、１つのステップに複数の処理が含まれる場合には、その１つのステップに含まれる複数の処理は、１つの装置で実行する他、複数の装置で分担して実行することができる。
【０２０３】
尚、本開示は、以下のような構成も取ることができる。
＜１＞  所定信号を送受信する信号チャンネルと、制御に利用される制御信号を双方向に送信する制御チャンネルとを有するインタフェースを介して、他の装置と接続される情報処理装置において、
前記情報処理装置における動作の全体を制御する主制御部と、
前記他の装置に第１の制御信号を送信し、前記第１の制御信号に応じて、前記他の装置から送信されてくる第２の制御信号に基づいて、前記インタフェースの接続状態を判定し、前記接続状態の判定結果により、前記主制御部の動作を制御する信号管理部を備える
情報処理装置。
＜２＞  前記主制御部の動作は、前記主制御部への通電状態および動作クロックである
＜１＞に記載の情報処理装置。
＜３＞  前記インタフェースは、HDMI（High Definition Multimedia Interface）であり、
前記制御信号、前記第１の制御信号、および前記第２の制御信号は、CEC（Consumer Electronics Control）メッセージである
＜１＞または＜２＞に記載の情報処理装置。
＜４＞  前記所定信号の送受信を制御する送受信制御部をさらに含み、
前記信号管理部は、前記送受信制御部への通電状態を停止するときに、第１の時間間隔で、前記他の装置に対して、前記第１の制御信号を送信し、前記第１の制御信号に応じて、前記他の装置から送信されてくる前記第２の制御信号に基づいて、前記インタフェースの接続状態として、HDMIケーブルの挿抜状態を判定する
＜３＞に記載の情報処理装置。
＜５＞  前記信号管理部は、前記第１の時間間隔で、前記他の装置に対して、前記第１の制御信号としてポーリング信号を送信し、前記ポーリング信号に対応して送信されてくる前記第２の制御信号である応答信号の有無により前記HDMIケーブルの挿抜状態を判定する
＜４＞に記載の情報処理装置。
＜６＞  前記信号管理部は、前記他の装置から、前記第１の時間間隔よりも短い第２の時間間隔で送信されてくる第３の制御信号であるポーリング信号が送信されてくるとき、対応する第４の制御信号である応答信号を前記他の装置に送信すると共に、前記第１の制御信号であるポーリング信号を送信する時間間隔をリセットする
＜４＞に記載の情報処理装置。
＜７＞  前記信号管理部は、前記第１の制御信号に応じた、前記他の装置からの前記第２の制御信号が送信されてこない場合、前記インタフェースの接続状態である、前記HDMIケーブルが抜去されているものと判定し、前記送受信制御部の動作を停止すると共に、前記主制御部の動作を停止する
＜４＞に記載の情報処理装置。
＜８＞  ユーザからの操作入力を受け付けて操作内容に応じた操作信号を発生する操作入力部をさらに含み、
前記信号管理部は、前記送受信制御部の動作を停止すると共に、前記主制御部の動作を停止している場合、前記操作入力部より操作信号が発生したとき、前記送受信制御部の動作を再開し、前記主制御部の動作を再開する
＜７＞に記載の情報処理装置。
＜９＞  前記信号管理部は、前記送受信制御部の動作を停止すると共に、前記主制御部の動作を停止している場合、前記他の装置より所定の制御信号が送信されてくるとき、前記送受信制御部の動作を再開させ、前記主制御部の動作を再開する
＜７＞に記載の情報処理装置。
＜１０＞  前記信号管理部は、送信元である自らの論理アドレスと、送信先である前記他の装置の論理アドレスとを含む前記第１の制御信号を送信する
＜１＞乃至＜９＞のいずれかに記載の情報処理装置。
＜１１＞  所定信号を送受信する信号チャンネルと、制御に利用される制御信号を双方向に送信する制御チャンネルとを有するインタフェースを介して、他の装置と接続される情報処理装置の情報処理方法において、
前記他の装置に第１の制御信号を送信し、前記第１の制御信号に応じて、前記他の装置から送信されてくる第２の制御信号に基づいて、前記インタフェースの接続状態を判定し、前記接続状態の判定結果により、前記情報処理装置における動作の全体を制御する主制御部の動作を制御する
情報処理方法。
【符号の説明】
【０２０４】
１１  テレビジョン受像機，  １２  AVアンプ，  ５２  CEC通信部，  ７２  マイクロコンピュータ，  ９５  CEC通信部
【図１】
2017188019.tif 000003
【図２】
2017188019.tif 000004
【図３】
2017188019.tif 000005
【図４】
2017188019.tif 000006
【図５】
2017188019.tif 000007
【図６】
2017188019.tif 000008
【図７】
2017188019.tif 000009
【図８】
2017188019.tif 000010
【図９】
2017188019.tif 000011
【図１０】
2017188019.tif 000012
【図１１】
2017188019.tif 000013
【図１２】
2017188019.tif 000014
【図１３】
2017188019.tif 000015
【図１４】
2017188019.tif 000016
【図１５】
2017188019.tif 000017
【図１６】
2017188019.tif 000018
【図１７】
2017188019.tif 000019
【図１８】
2017188019.tif 000020
【図１９】
2017188019.tif 000021
【図２０】
2017188019.tif 000022
【図２１】
2017188019.tif 000023
【図２２】
2017188019.tif 000024
【国際調査報告】
2017188019.tif 000025
2017188019.tif 000026
2017188019.tif 000027
2017188019.tif 000028